(57)【要約】【課題】デジタルデータで表された楽音データを補正して、適切な音質の発声を得る発音装置、発音方法及び通信端末装置を提供する。【解決手段】音量補正データ記憶部１２は、音色ごとの音量の補正値を表す音色に対する音量補正データ１３、または音階ごとの音量の補正値を表す音階に対する音量補正データ１４を記憶し、音量補正装置１５は、楽音データ記憶部１１に記憶された楽音データの音量の値にその音色、または音階に応じて音量補正データ１３、１４の指定する補正値を加えて補正する。【選択図】　図１
2004109548.tif 000002
【特許請求の範囲】
【請求項１】
音種及び音量を含むデジタルデータで表された楽音データを記憶する楽音記憶手段と、
前記音種ごとに表された音量補正データを記憶する補正記憶手段と、
前記補正記憶手段から読み出された前記音量補正データに基づいて前記音種ごとに前記楽音記憶手段から読み出された前記楽音データの音量を補正する手段と、前記補正された楽音データからアナログ楽音信号を作成する音源手段と、
前記音源手段によって作成された前記アナログ楽音信号から楽音を発生する発音手段と
を具備することを特徴とする発音装置。
【請求項２】
音階及び音量を含むデジタルデータで表された楽音データを記憶する楽音記憶手段と、
前記音階ごとに表された音量補正データを記憶する補正記憶手段と、
前記補正記憶手段から読み出された前記音量補正データに基づいて前記音階ごとに前記楽音記憶手段から読み出された前記楽音データの音量を補正する手段と、前記補正された楽音データからアナログ楽音信号を作成する音源手段と、
前記音源手段によって作成された前記アナログ楽音信号から楽音を発生する発音手段と
を具備することを特徴とする発音装置。
【請求項３】
前記音量補正データを複数通り具備することを特徴とする請求項１または請求項２記載の発音装置。
【請求項４】
前記楽音記憶手段は、前記補正された楽音データを記憶することを特徴とする請求項１または請求項２記載の発音装置。
【請求項５】
音種及び音量を含むデジタルデータで表された楽音データを記憶し、
前記音種ごとに表された音量補正データを記憶し、
前記音量補正データに基づいて前記音種ごとに前記楽音データの音量を補正し、前記補正された楽音データからアナログ楽音信号を作成し、
前記アナログ楽音信号から楽音を発生すること
を特徴とする発音方法。
【請求項６】
音階及び音量を含むデジタルデータで表された楽音データを記憶し、
前記音階ごとに表された音量補正データを記憶し、
前記音量補正データに基づいて前記音階ごとに前記楽音データの音量を補正し、前記補正された楽音データからアナログ楽音信号を作成し、
前記アナログ楽音信号から楽音を発生すること
を特徴とする発音方法。
【請求項７】
アナログ受話音声信号から受話音声を発生するスピーカと、
送話音声からアナログ送話音声信号を出力するマイクロフォンと、
音種及び音量を含むデジタルデータで表された楽音データを記憶する楽音記憶手段と、
前記音種ごとに表された音量補正データを記憶する補正記憶手段と、
前記補正記憶手段から読み出された前記音量補正データに基づいて前記音種ごとに前記楽音記憶手段から読み出された前記楽音データの音量を補正する手段と、前記補正された楽音データからアナログ楽音信号を作成する音源手段とを具備し、
前記スピーカが前記音源手段によって作成された前記アナログ楽音信号から楽音を発生する
ことを特徴とする通信端末装置。
【請求項８】
アナログ受話音声信号から受話音声を発生するスピーカと、
送話音声からアナログ送話音声信号を出力するマイクロフォンと、
音階及び音量を含むデジタルデータで表された楽音データを記憶する楽音記憶手段と、
前記音階ごとに表された音量補正データを記憶する補正記憶手段と、
前記補正記憶手段から読み出された前記音量補正データに基づいて前記音階ごとに前記楽音記憶手段から読み出された前記楽音データの音量を補正する手段と、前記補正された楽音データからアナログ楽音信号を作成する音源手段とを具備し、
前記スピーカが前記音源手段によって作成された前記アナログ楽音信号から楽音を発生する
ことを特徴とする通信端末装置。
【発明の詳細な説明】
【０００１】
【発明の属する技術分野】
本発明は、楽音の発音を行う発音装置、発音方法及び通信端末装置に係り、特に適切な音質の発音を得るための音量の補正処理に関する。
【０００２】
【従来の技術】
携帯電話などの移動通信端末装置において、着信を利用者に通知するために、呼出音の鳴動に代えて着メロと呼ばれる音楽が用いられている。その音楽は、デジタルデータである楽音データで表され、その楽音データは、ダウンロードによって、またはメールの添付ファイルによって、更には自装置内で作成することによっても得ることができ、その結果、利用者の好みに従った多彩な音楽を着メロとして用いることができる。
【０００３】
一方、着メロが発音されるスピーカは通話用の発音装置であることから、通話音声の明瞭な発音に適した特性を有している。最近は移動通信端末装を顔に密着させないハンズフリー方式の使い方が用いられるため、一層通話音声の明瞭な発音に適した特性を有している。
【０００４】
そのため、多種多様な着メロを発音させた場合、例えば、音声が含んでいる周波数以外の周波数の音圧が小さく、音質が損なわれることがあった。一方、着メロは利用者に着信を通知する手段であることから、それは利用者に充分認識できる大きさの音量でなければならない。そこで、利用者は着メロに用いる音楽を指定するたびに、音量設定画面を開いた上で適切な音量を設定していた。
【０００５】
しかし、着メロの全ての発音に対する音量の均一な設定では、例えば、低音が充分な音圧で発音されないスピーカを用いた場合に音楽の自然さの回復は不可能であり、利用者の好みを満足させることはできなかった。
【０００６】
そこで、着メロの音質の調整を行う方法が開示されている。従来の方法は、メロディーや伴奏などのパートごとに、各種データに基づいて音量バランスを改良し、また、スピーカ周波数特性データに基づいて楽音信号をイコライズしている（例えば、特許文献１参照。）。
【０００７】
【特許文献１】
特開２００１−２４９６６４号公報（第１頁、図２）
【０００８】
【発明が解決しようとする課題】
しかしながら、上述した従来の方法では、多種のデータを必要とし、多彩な音楽に対して適切な音量を設定することが困難である問題点があった。
【０００９】
本発明は、上記問題点を解決するためになされたもので、デジタルデータで表された楽音データを補正して、適切な音質の発音を得る発音装置、発音方法及び通信端末装置を提供することを目的とする。
【００１０】
【課題を解決するための手段】
上記目的を達成するために、本発明の発音装置は、音種及び音量を含むデジタルデータで表された楽音データを記憶する楽音記憶手段と、前記音種ごとに表された音量補正データを記憶する補正記憶手段と、前記補正記憶手段から読み出された前記音量補正データに基づいて前記音種ごとに前記楽音記憶手段から読み出された前記楽音データの音量を補正する手段と、前記補正された楽音データからアナログ楽音信号を作成する音源手段と、前記音源手段によって作成された前記アナログ楽音信号から楽音を発生する発音手段とを具備することを特徴とする。
【００１１】
また、本発明の発音装置は、音階及び音量を含むデジタルデータで表された楽音データを記憶する楽音記憶手段と、前記音階ごとに表された音量補正データを記憶する補正記憶手段と、前記補正記憶手段から読み出された前記音量補正データに基づいて前記音階ごとに前記楽音記憶手段から読み出された前記楽音データの音量を補正する手段と、前記補正された楽音データからアナログ楽音信号を作成する音源手段と、前記音源手段によって作成された前記アナログ楽音信号から楽音を発生する発音手段とを具備することを特徴とする。
【００１２】
本発明によれば、デジタルデータで表された楽音データの音種ごと、または音階ごとに音量の補正を表すデータを有し、その補正データに基づいて音種ごと、または音階ごとに音量を補正することにより、その楽音データの発音による音質を適切に変更することができる。
【００１３】
【発明の実施の形態】
以下に、本発明による発音装置の実施の形態を、移動通信端末装置を例として、図面を参照して説明する。
【００１４】
図１は、本発明の実施形態に係る移動通信端末装置を示すブロック図である。この移動通信端末装置は、装置全体の制御を行う制御装置１と、アンテナ２ａと、通信装置２ｂと、送受信装置３と、スピーカ４ａと、マイクロフォン４ｂと、通話装置４ｃと、利用者からの操作指示を入力する入力装置５と、利用者へ情報の提示を行う出力装置６と、デジタルデータで表された楽音データを記憶する楽音データ記憶部１１と、楽音データ記憶部１１に格納された楽音データの音量の補正を表す音量補正データを記憶する音量補正データ記憶部１２と、音量補正データ記憶部１２に格納された音量補正データに基づいて楽音データ記憶部１１に格納された楽音データの音量を補正する音量補正装置１５とからなる。
【００１５】
音量補正データ記憶部１２に格納される音量補正データは、音色に対する音量補正データ１３と、音階に対する音量補正データ１４とよりなる。
【００１６】
図２は通話装置４ｃの詳細な構成を示すブロック図である。通話装置４ｃは、ＤＡ変換器４ｄと、増幅器４ｅと、音源４ｆと、増幅器４ｇと、ＡＤ変換器４ｈとからなる。
【００１７】
上記のように構成された、本発明の実施形態に係る移動通信端末装置の動作を説明する。通信装置２ｂは、アンテナ２ａが受信した高周波信号を送受信装置３へ出力し、また、送受信装置３が出力する高周波信号をアンテナ２ａより送信する。
【００１８】
次に、送受信装置３の動作を説明する。送受信装置３は、通信装置２ｂからの高周波信号を増幅、周波数変換及び復調し、それによって得たデジタル音声信号を通話装置４ｃへ、また、制御信号を制御装置１へ送る。更には、通話装置４ｃが出力するデジタル音声信号、及び制御装置１が出力する制御信号を変調、周波数変換及び増幅し、高周波信号を得てそれを通信装置２ｂへ送る。
【００１９】
次に、通話装置４ｃの動作を説明する。まず、ＤＡ変換器４ｄの動作の説明をする。ＤＡ変換器４ｄは、送受信装置３が出力するデジタル音声信号を受信し、アナログ音声信号に変換し、それを増幅器４ｅへ送る。
【００２０】
次に、音源４ｆの動作を説明する。音源４ｆは、制御装置１の指示により、楽音データ記憶部１１からの楽音データに従った音色、音階、及び音量のアナログ楽音信号を作成し、それを増幅器４ｅへ送る。音源４ｆは、チャネルと呼ばれる機能単位を複数持ち、それぞれのチャネルが独立して楽音データに従った音色、音階、及び音量のアナログ楽音信号の作成を行う。
【００２１】
次に、増幅器４ｅの動作を説明する。増幅器４ｅは、ＤＡ変換器４ｄが出力するアナログ音声信号、及び音源４ｆが出力するアナログ楽音信号を増幅し、スピーカ４ａに送って発音させる。
【００２２】
次に、増幅器４ｇの動作を説明する。増幅器４ｇは、マイクロフォン４ｂが出力するアナログ音声信号を増幅し、それをＡＤ変換器４ｈへ送る。次に、ＡＤ変換器４ｈの動作を説明する。ＡＤ変換器４ｈは増幅器４ｇが出力するアナログ音声信号をデジタル音声信号に変換し、それを送受信装置３へ送る。
【００２３】
次に、入力装置５の動作を説明する。入力装置５は、複数のキーからなり、制御装置１の起動により動作を開始し、利用者が操作したキーを識別するコードを制御装置１へ通知して動作を終了する。
【００２４】
次に、出力装置６の動作を説明する。出力装置６は、例えばＬＣＤの表示装置であり、制御装置１より起動されることにより、表示動作を開始する。入力装置５からの入力操作に応答して制御装置１より起動されるまで、同じ表示動作を続ける。
【００２５】
次に、楽音データ記憶部１１に記憶される楽音データを、図３を参照して説明する。楽音データはデジタルデータで表された楽音であり、音源４ｆにおいて作成されるアナログ楽音信号の作成のためのメッセージ部と、このメッセージ部の値の補正状況を表す補正状況部とにより構成される。
【００２６】
図３（ａ）は楽音データのメッセージ部の一例を示す。メッセージ部は、メッセージ２１ａ〜２１ｃ・・・が連続したものであり、各メッセージ２１ａ〜２１ｃ・・・が音源４ｆに対するアナログ楽音信号の作成情報である。本実施形態では、各メッセージ２１ａ〜２１ｃ・・・は、前のメッセージからの時間１１ａ、チャネル１１ｂ、音色番号１１ｃ、音階番号１１ｄ、音量１１ｅ、持続時間１１ｆの各属性より構成されている。
【００２７】
それぞれの属性の値が、前のメッセージ（例えばメッセージ２１ａ）が指定したアナログ楽音信号作成開始時刻から次のメッセージ（例えばメッセージ２１ｂ）が指定するアナログ楽音信号作成開始までの時間１１ａ、その信号作成を行わせる音源４ｆのチャネル１１ｂ、その信号の音色を表す番号１１ｃ、その信号の音階を表す番号１１ｄ、その信号の音量１１ｅ、その信号発生を持続させる時間１１ｆを表す。
【００２８】
ここで、特定のチャネルには主メロディーの発音を行わせ、別の特定のチャネルには伴奏の発音を行わせるなどをして、チャネルによって楽音の利用目的を表しても良い。更に、チャネルごとにビブラートなどの効果を加えた発音を行わせても良い。その結果、チャネル１１ｂと音色１１ｃのいずれかの属性、または２つの属性によって、楽音の種類即ち、その楽音の音階１１ｄ及び音量１１ｅ以外の特性が表されても良い。
【００２９】
なお、音色番号１１ｃと作成される楽音の音色との対応は、音量補正データ記憶部１２に格納された音色に対する音量補正データ１３により表される。ここで、図４は、音色に対する音量補正データ１３の一例を示す。音色に対する音量補正データ１３は、音色番号１３ａ、音色１３ｂ、音色に対する音量補正値１３ｃの各属性より構成されている。
【００３０】
ここで、音色番号１３ａと音色１３ｂの属性により、楽音データのメッセージ部に格納された音色番号１１ｃがどの音色（例えば楽器名や効果音名）に対応するかが表されている。音色番号１３ａと音色１３ｂの対応は予め音源４ｆに与えられるので、音源４ｆは音色番号１１ｃを与えられることによって対応する音色の楽音を作成する。
【００３１】
一方、音色に対する音量補正値１３ｃは、音色に対する音量補正の指定である。即ち、音色番号１３ａの発音の音量を、それに対応する音色に対する音量補正値１３ｃだけ補正することを表している。音色に対する音量補正値１３ｃは、音源４ｆ、増幅器４ｅ、及びスピーカ４ａの特性に応じて定められた値であり、更に利用者の聴力や好みに応じて調整された値であっても良い。
【００３２】
更に、音階番号１１ｄと作成される楽音の音階との対応は、音量補正データ記憶部１２に格納された音階に対する音量補正データ１４により表される。ここで、図５は、音階に対する音量補正データ１４の一例を示す。音階に対する音量補正データ１４は、音階番号１４ａ、音階１４ｂ、音階に対する音量補正値１４ｃの各属性より構成されている。
【００３３】
ここで、音階番号１４ａと音階１４ｂの属性により、楽音データのメッセージ部に格納された音階番号１１ｄがどの音階に対応するかが表されている。例えばピアノの中央鍵盤Ｃ（ド）の音階を音階番号１４ａが「６０」で表し、半音単位の音程で配列された音階１４ｂを音階番号１４ａで表す。音階番号１４ａと音階１４ｂの対応は予め音源４ｆに与えられるので、音源４ｆは音階番号１１ｄから対応する音階の楽音を作成する。
【００３４】
一方、音階に対する音量補正値１４ｃは、音階に対する補正の指定である。即ち、音階番号１４ａの発音の音量を、それに対応する音階に対する音量補正値１４ｃだけ補正することを表している。音階に対する音量補正値１４ｃは、音源４ｆ、増幅器４ｅ、及びスピーカ４ａの特性に応じて定められた値であり、更に利用者の聴力や好みによって調整された値であっても良い。
【００３５】
図３（ｂ）は楽音データの補正状況部の一例を示す。本実施形態では、補正状況部は補正有無１１ｇ、音量補正データ名１１ｈ、補正手法１１ｊの各属性から構成されている。補正状況２２は、補正有無１１ｇに「有」が格納されており、この楽音データは補正済であることを表している。
【００３６】
そして、音量補正データ名１１ｈに「音量補正データ−１」が格納されていることから、「音量補正データ−１」という名称の音量補正データ１３、１４に基づいて補正されたことを表している。また、補正手法１１ｊが「加算」であることから、音色に対する音量補正値１３ｃ、及び音階に対する音量補正値１４ｃの２種の補正値の加算結果の補正が行われたことを表している。
【００３７】
楽音データ記憶部１１の楽音データが補正されていない場合には、補正有無１１ｇ属性の値に「無」が格納される。その場合でも、どのように補正するのが適切であるかが分かっているなら、その補正を音量補正データ名１１ｈ、補正手法１１ｊの属性に値を格納することによって表現する。
【００３８】
楽音データ記憶部１１の楽音データ、及び音量補正データ記憶部１２の音量補正データ１３、１４は、移動通信端末装置の出荷時に作成されるものであっても良い。また、ブラウザ装置（図示せず）がダウンロードすることによって得たものでも良い。また、メール装置（図示せず）が受信したメールの添付ファイルとして得たものでも良い。更には、利用者が入力装置５及び出力装置６を用いて作成、及び修正したものであっても良い。
【００３９】
この楽音データは、制御装置１が着メロとして用いる。即ち、着信時に制御装置１が音源４ｆに指示することによってスピーカ４ａから発音される。また、音楽再生装置（図示せず）が鑑賞用あるいはＢＧＭに用いるために、音源４ｆに指示することによって発音されても良い。更には、メール装置が送信するメールの添付ファイルとして用いても良い。補正済の楽音データを送信することによって、それを受信した移動通信端末装置では改めて補正を行う必要がなくなる。
【００４０】
次に、音量補正装置１５の動作を説明する。音量補正装置１５は、楽音データのメッセージ２１ａ〜２１ｃ・・・の音量１１ｅの属性値を補正する装置であって、それが音源４ｆの処理及び増幅器４ｅの処理を経て、スピーカ４ａから発音された際の音質を適切なものとすることを目的とする。
【００４１】
図６は、音量補正装置１５の動作のフローチャートを示す。音量補正装置１５は、補正されていない楽音データを得た際に、制御装置１が起動することにより動作を開始する（ステップ３１ａ）。続いて、全てのメッセージ２１ａ〜２１ｃ・・・の音量１１ｅの値を補正すべく、全てのメッセージの処理が終了したかを調べる（ステップ３１ｂ）。終了していなければ、次のメッセージを読込む（ステップ３１ｃ）。
【００４２】
次に、読込んだメッセージの音色番号１１ｃの値をキーに音色に対する音量補正データ１３を検索し、音色に対する音量補正値１３ｃを得る（ステップ３１ｄ）。続けて、読込んだメッセージの音階番号１１ｄの値をキーに音階に対する音量補正データ１４を検索し、音階に対する音量補正値１４ｃを得る（ステップ３１ｅ）。
【００４３】
次に、上記音色に対する音量補正値１３ｃ及び音階に対する音量補正値１４ｃから、処理中のメッセージの音量１１ｅの値を補正する（ステップ３１ｆ）。例えば、上記２つの音量補正値１３ｃ、１４ｃを加算した値を上記メッセージの音量１１ｅの値に加えることによって補正する。上記２つの音量補正値１３ｃ、１４ｃの中で大きい値だけを加えても良い。
【００４４】
ステップ３１ｂで全てのメッセージの処理が終了した場合には、補正されたメッセージ２１ａ〜２１ｃ・・・及び補正状況２２を楽音データ記憶部１１に格納する（ステップ３１ｇ）。ここで、補正状況２２は、補正有無１１ｇに「有」を、音量補正データ名１１ｈ、及び補正手法１１ｊに施した補正の詳細を表す情報を格納したものである。続けて、処理を終了する（ステップ３１ｈ）。
【００４５】
本実施形態は、音種に対する音量補正として、音色番号１１ｃに対する音量補正を行ったが、チャネル１１ｂに対する音量補正を行っても良い。
【００４６】
また、音量補正データ１３、１４は、利用者の聴力や好みに従って、補正を行わないことを表すデータを含む、異なるデータを用いても良い。その他に、楽音データが着メロとして用いられる場合、鑑賞用に用いられる場合、及びＢＧＭとして用いられる場合など、用途に応じて異なるデータを用いても良い。本発明は以上の構成に限定されるものではなく、種々の変形が可能である。
【００４７】
【発明の効果】
以上述べたように、本発明によれば、デジタルデータで表された楽音データの音種ごと、または音階ごとに音量の補正を表すデータを有し、その補正データに基づいて音種ごと、または音階ごとに音量を補正することにより、その楽音データの発音による音質を適切に変更することができる。
【図面の簡単な説明】
【図１】本発明の実施形態に係る移動通信端末装置を示すブロック図。
【図２】本発明の実施形態に係る通話装置を示すブロック図。
【図３】本発明の実施形態に係る楽音データの形式。
【図４】本発明の実施形態に係る音色に対する音量補正データの形式。
【図５】本発明の実施形態に係る音階に対する音量補正データの形式。
【図６】本発明の実施形態に係る音量補正装置のフローチャート。
【符号の説明】
４ａ　スピーカ
４ｂ　マイクロフォン
４ｆ　音源
１１　楽音データ記憶部
１１ｂ　チャネル
１１ｃ　音色番号
１１ｄ　音階番号
１１ｅ　音量
１１ｇ　補正有無
１１ｈ　音量補正データ名
１２　音量補正データ記憶部
１３　音色に対する音量補正データ
１３ａ　音色番号
１３ｃ　音色に対する音量補正値
１４　音階に対する音量補正データ
１４ａ　音階番号
１４ｃ　音階に対する音量補正値
１５　音量補正装置
【図１】
2004109548.tif 000003
【図２】
2004109548.tif 000004
【図３】
2004109548.tif 000005
【図４】
2004109548.tif 000006
【図５】
2004109548.tif 000007
【図６】
2004109548.tif 000008